(57)【特許請求の範囲】
【請求項１】
複数のコネクタ端子が配設されたハウジングと、このハウジングに挿入されたカードを挿着位置にロックするハート形カム溝と、前記ハウジング内に、カードの挿入及び排出に伴ってカードの挿入及び排出方向へ移動可能に配設されたスライド部材と、このスライド部材の移動に伴って一端部が前記ハート形カム溝に摺接して前記スライド部材をカードの挿着位置にロックするロックピンとを備え、前記ハート形カム溝には、前記ロックピンをロック位置に保持する凹溝部が形成され、前記ロックピンが前記凹溝部に係合する直前の前記ハート形カム溝との摺接時に、前記ロックピンの一端部を前記ハートカム溝の内壁面に弾性付勢させる弾性付勢手段を設け、この弾性付勢手段の付勢力により前記ロックピンを前記凹溝部方向へ移動させるようにしたカード用コネクタ装置であって、前記弾性付勢手段は、前記スライド部材に、前記ロックピンが前記ハート形カム溝の凹溝部に係合する直前の前記ハート形カム溝との摺接時に、前記ロックピンの軸部に当接する押圧突起部を形成すると共に、この押圧突起部を撓み可能に形成し、前記押圧突起部が前記ロックピンに押圧されることにより前記押圧突起部が撓んで、その弾性力により前記ロックピンの他端部を前記ハートカム溝の内壁面に弾性付勢させるように構成したことを特徴とするカード用コネクタ装置。
【請求項２】
前記ハート形カム溝の凹溝部の近傍には、前記ロックピンと係合し、前記ロックピンの他端部が前記弾性付勢手段の付勢力により前記凹溝部との係合位置から外れるのを規制する規制部を形成したことを特徴とする請求項１記載のカード用コネクタ装置。
【請求項３】
前記規制部は、前記ハート形カム溝の外壁面に突出して形成された突出壁部からなることを特徴とする請求項２記載のカード用コネクタ装置。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッシュ）カードなどに使用される、カード用コネクタ装置の構造に関する。
【０００２】
【従来の技術】
パーソナルコンピュータ等の増設記録装置としてＩＣカード用コネクタ装置が一般的に使用されている。このＩＣカード用コネクタ装置の記憶媒体としてはＩＣカードが広く使用されるようになってきている。
【０００３】
このＩＣカードをＩＣカード用コネクタ装置に挿着して必要な情報の書き込み、及び読み取りを行うが、ＩＣカード用コネクタ装置には、ＩＣカードの挿入時にはＩＣカードを挿着位置にロックさせると共に、排出時にはロックを解除して挿着位置からＩＣカードを排出させるロック機構を備えたものが知られている。
【０００４】
このロック機構としては、ＩＣカードの収容部を有するハウジングに設けられたハート形のカム溝と、このカム溝に一端側が係合され、他端側をスライド部材に回動可能に支持されたロックピンとを備え、ＩＣカードの挿入に伴ってスライド部材が挿入方向へ移動されることにより、ロックピンの一端部がカム溝に摺動してロック及びロック解除が行われるものとなっている。
【０００５】
このロック機構においては、ＩＣカードが挿入方向へ移動されると、ロックピンがハート形のカム溝内を摺動して、カム溝に設けられたロック用の凹溝部に係合することにより挿着位置にロックされるものとなる。そして、ロックを解除するには、挿着位置にロックされた状態のＩＣカードを、一旦挿入方向へ押圧（オーバーストローク）させることにより、ロックピンがカム溝の凹溝部から離脱し、スライド部材を排出方向へ付勢しているコイルばねの付勢力によりＩＣカードが排出方向へ排出されるものとなっている。
【０００６】
この場合、前記ハート形のカム溝には、ロックピンが一方向へ循環移動する必要があることから、カム溝の底面にロックピンの戻りを防止するための複数の段差を形成したり、あるいはカム溝の内壁面や外壁面の形状を工夫してロックピンが一方向しか回動しないように形成されている。
【０００７】
【発明が解決しようとする課題】
しかしながら、上述した従来のＩＣカード用コネクタ装置の構造においては、ＩＣカードを挿着するとき、ロックピンがハート形のカム溝の凹溝部にロックする際のクリック感（節度感）を得ることが難しく、特にカム溝の底面に段差を形成しないものにおいてはクリック感が全く得られないという問題があった。
【０００８】
また、カム溝の底面に段差を形成する構成のものにおいても、カム溝の周囲の面と凹溝部との段差を大きくしてロックピンをカム溝の底面側に強く付勢してやればクリック感は得られるものの、段差を大きくするとハウジングが厚くなるため、薄型化対応が難しく、また、ロックピンを底面側に付勢する場合には、板ばねなどの付勢部材が別途必要となるため、部品点数が増加し構造が複雑になるという問題があった。
【０００９】
したがって、本発明では上述した問題点を解決し、ハウジングの薄型化が可能であると共に、部品点数を増やさずに簡単な構造で、カードの挿着時のクリック感を得ることができるカード用コネクタ装置を提供することを目的とする。
【００１０】
【課題を解決するための手段】
上記課題を解決するために本発明では第１の手段として、複数のコネクタ端子が配設されたハウジングと、このハウジングに挿入されたカードを挿着位置にロックするハート形カム溝と、前記ハウジング内に、カードの挿入及び排出に伴ってカードの挿入及び排出方向へ移動可能に配設されたスライド部材と、このスライド部材の移動に伴って一端部が前記ハート形カム溝に摺接して前記スライド部材をカードの挿着位置にロックするロックピンとを備え、前記ハート形カム溝には、前記ロックピンをロック位置に保持する凹溝部が形成され、前記ロックピンが前記凹溝部に係合する直前の前記ハート形カム溝との摺接時に、前記ロックピンの一端部を前記ハートカム溝の内壁面に弾性付勢させる弾性付勢手段を設け、この弾性付勢手段の付勢力により前記ロックピンを前記凹溝部方向へ移動させるようにしたカード用コネクタ装置であって、前記弾性付勢手段は、前記スライド部材に、前記ロックピンが前記ハート形カム溝の凹溝部に係合する直前の前記ハート形カム溝との摺接時に、前記ロックピンの軸部に当接する押圧突起部を形成すると共に、この押圧突起部を撓み可能に形成し、前記押圧突起部が前記ロックピンに押圧されることにより前記押圧突起部が撓んで、その弾性力により前記ロックピンの他端部を前記ハートカム溝の内壁面に弾性付勢させるように構成したことを特徴とする。
【００１１】
また、第２の手段として、前記ハート形カム溝の凹溝部の近傍には、前記ロックピンと係合し、前記ロックピンの他端部が前記弾性付勢手段の付勢力により前記凹溝部との係合位置から外れるのを規制する規制部を形成したことを特徴とする。
【００１２】
また、第３の手段として、前記規制部は、前記ハート形カム溝の外壁面に突出して形成された突出壁部からなることを特徴とする。
【００１６】
【発明の実施の形態】
以下、本発明の１実施例と１実施例に関連する１参考例を図１乃至図９に示す。図１は本発明のカード用コネクタの平面図、図２は同じく本発明のハウジングとスライド部材の一部を破断した状態を示す部分側面図、図３乃至図９はハート形カム溝とロックピンとの係合状態の１参考例を示す説明図で、図３は初期状態、図４はロックピンが押圧突起部によりカム溝の内壁面に付勢された状態、図５はロックピンが規制部である突出壁部に当接された状態、図６はロックピンがオーバーストロークされた状態、図７はロックピンが凹溝部にロックされた状態、図８はロックピンが凹溝部より解除された状態、図９は初期位置に戻る途中の状態のそれぞれを示す説明図である。
尚、後述する本発明の１実施例と共通する同一部品については同一符号を付して説明するものとする。
【００１７】
図において、ハウジング１は、合成樹脂などの絶縁材で略Ｕ字状に形成されている。このハウジング１の中央には、導電性の金属材からなるコネクタ端子２が複数個並設されたヘッダー部が設けられており、このヘッダー部の両端側には、後述するＩＣカード７を挿入ガイドする、ガイドフレーム１ａが対向されて形成されている。前記ヘッダー部と前記ガイドフレーム１ａに囲まれる部分がＩＣカード７の収納部となっており、この収納部側に前記ヘッダー部に並設された前記コネクタ端子２が突出されて形成されている。
【００１８】
複数の前記コネクタ端子２は、平板状の基部と、この基部から互いに対向する方向へ略Ｚ字状に屈曲されて形成された接続片２ａ及び接触片２ｂとから形成されている。前記コネクタ端子２は、前記基部が前記ハウジング１のヘッダー部に設けられた図示しない係合溝に係合されて固着されるようになっており、一端側に形成された前記接続片２ａが、前記ヘッダー部の外側面の底面部から外方へ突出して配設されている。この接続片２ａが電子機器などの図示しない外部の回路基板上の回路パターンと半田付けされて信号の伝送が行われるものとなる。また、前記基部の他端側に形成された前記接触片２ｂが、前記ヘッダー部の内側面の上面部から後述するＩＣカード７の前記収納部側に突出して配設されたものとなっている。また、前記接触片２ｂの先端側には、ＩＣカード７の図示しない接触端子部に接続される接点部２ｃが形成されている。
【００１９】
前記ガイドフレーム１ａには、後述するＩＣカード７を挿入する際、ＩＣカード７の側面をガイドして前記収納部に案内するガイド溝（図示せず）が設けられている。また、一方のガイドフレーム１ａには、ＩＣカード７を案内する後述するスライド部材４をＩＣカード７の挿着位置に保持するためのハート形カム溝１ｂが設けられており、このハート形カム溝１ｂの内壁面には、後述するスライド部材４に一端部が回動可能に支持されたロックピン５の他端部がロックされる凹溝部１ｃが設けられている。また、前記ハート形カム溝１ｂの外壁面には、前記凹溝部１ｃの近傍に突出して形成され、ロックピン５の他端部が前記凹溝部１ｃとの係合位置から外れるのを規制する規制部である突出壁部１ｄが形成されている。
また、前記ガイドフレーム１ａには、後述するスライド部材４を排出方向へ付勢する付勢部材であるコイルばね３を収納するばね収納部１ｅが設けられている。
【００２０】
スライド部材４は、合成樹脂などの絶縁材で長尺状に形成されており、このスライド部材４は、前記ハウジング１のガイドフレーム１ａにカードの挿入／排出方向へ移動可能に配設されている。このスライド部材４の一端側には、前記コイルばね３を係止するばね係止部４ａが設けられており、このばね係止部４ａと前記ガイドフレーム１ａのばね収納部１ｅに伸縮可能に前記コイルばね３が介在されたものとなっている。
【００２１】
また、前記スライド部材４の他端側には、後述するロックピン５を回動可能に支持するピン支持部４ｂが形成されており、このピン支持部４ｂの近傍には、ロックピン５が前記ハート形カム溝１ｂの凹溝部１ｃに係合する直前の前記ハート形カム溝１ｂとの摺接時に、ロックピン５の軸部５ａに当接する押圧突起部４ｃが形成されている。この押圧突起部４ｃを設けることにより、ロックピン５はこの押圧突起部４ｃに押圧されて撓むことで、自身の弾性力によりロックピン５の他端部が前記ハートカム溝１ｂの内壁面に弾性付勢されるようになっている。
【００２２】
ロックピン５は、弾性を有する丸線材で棒軸状に形成されている。このロックピン５の軸部５ａの一端部には略Ｚ字状の回動支持部５ｂが形成されており、この回動支持部５ｂが前記スライド部材４のピン支持部４ｂに係合されて回動可能に支持されている。また、前記ロックピン５の他端部にはＬ字状の作動突部５ｃが形成されており、この作動突部５ｃが前記ガイドフレーム１ａのハート形カム溝部１ｂに摺動されて前記スライド部材４がカード７の挿着位置にロックされるものとなっている。
【００２３】
カバー部材６は、導電性の金属材で略逆Ｕ字状に形成されており、平板状の上板部６ａと、対向した側板部６ｂとから形成されている。前記上板部６ａには、前記接触片２ｂに対応して複数の窓孔部６ｃが設けられ、また、ＩＣカード７の挿入側には開口された開口部６ｄが形成されている。また、前記側板部６ｂには、アース端子６ｅが設けられており、このアース端子６ｅを図示しない電子機器などの回路基板のアースパターンに接続することでＩＣカード７及びカード用コネクタ装置のシールドを行っている。前記カバー部材６は、前記ハウジング１のヘッダー部及び前記コネクタ端子２を覆うように、前記ハウジング１上に係合されるものとなっている。
【００２４】
ＩＣカード７は、内部に集積回路（ＩＣ）が収納されており、記録媒体として広く使用されているものである。このＩＣカード７の一表面には、その一端側に図示しない複数の接触端子部が形成されており、この接触端子部が前記ハウジング１の収納部に収納されて、前記ヘッダー部に配設された複数の接触片２ｂと接触することにより、外部に接続された電子機器との種々の情報処理が行われるものとなっている。
【００２５】
次に、ＩＣカード７が前記ハウジング１に挿着される状態について説明する。前記ＩＣカード７を前記ハウジング１に収納するには、ＩＣカード７を前記ハウジング１の収納部側すなわち前記カバー部材６の開口部６ｄ側から挿入する。この時、前記ＩＣカード７と前記スライド部材４が係合され、前記スライド部材４は前記ＩＣカード７と共に挿入方向へ移動されて、前記ロックピン５の作動突部５ｃが前記ハート形カム溝１ｂ内を摺動し、オーバーストロークした後、凹溝部１ｃにロックされる。この状態で、前記ＩＣカード７は収納位置に挿着されるものとなる。
【００２６】
この時の動作について、図３乃至図７で詳しく説明する。
まず、ＩＣカード７が挿入される前の初期状態では、前記スライド部材４は前記ガイドフレーム１ａのＩＣカード７の挿入口側に位置しており、前記ロックピン５の作動突部５ｃは前記ハート形カム溝１ｂの後端側に位置している。（図３）
【００２７】
次に、ＩＣカード７を挿入方向へ挿入すると、前記スライド部材４は、前記ガイドフレーム１ａに沿ってＩＣカード７の挿入方向へ移動され、これに伴って、前記ロックピン５の作動突部５ｃは、前記ハート形カム溝１ｂの外壁面及び内壁面に沿って先端側へ移動されるものとなる。この時、前記作動突部５ｃは、前記ハート形カム溝１ｂの内壁面の斜面によって反時計方向（図示右方向）に回動され、この回動に伴い、前記軸部５ａが前記スライド部材４に設けられた押圧突起部４ｃに当接されるが、前記作動突部５ｃは更に内壁面の斜面に沿って進むことから、前記ロックピン５は、自身の弾性によって回動支持部５ｂと作動突部５ｃとの間で湾曲されて撓むこととなる。（図４）
【００２８】
この時、前記ロックピン５は、自身の弾性力で前記作動突部５ｃが前記ハート形カム溝１ｂの内壁面に弾性付勢されることとなり、前記ロックピン５がロックされる前記凹溝部１ｃに係合する直前の前記ハート形カム溝１ｂとの摺接時に押圧力が最大となるようになっている。
【００２９】
この状態から、更にＩＣカード７を挿入すると、前記スライド部材４が挿入方向へ移動し、前記ロックピン５の作動突部５ｃがハート形カム溝１ｂの内壁面から外れて、前記弾性付勢力によってロック位置である前記凹溝部１ｃの方向へ移動されるものとなる。この時、前記凹溝部１ｃの近傍でハート形カム溝１ｂの外壁面に突出壁部１ｄが形成されており、前記作動突部５ｃは、この突出壁部１ｄに当接することで、前記作動突部５ｃが自身の弾性付勢力により前記凹溝部１ｃとの係合位置から外れるのを規制するようになっている。（図５）
【００３０】
この場合、前記ロックピン５が、前記ハート形カム溝部１ｂのロック位置である前記凹溝部１ｃに係合する直前において、前記ハート形カム溝１ｂの内壁面に弾性付勢されるようになっており、前記ロックピン５は前記ハート形カム溝１ｂとの摺接時の押圧力が最大となった後に前記凹溝部１ｃに係合することから、押圧操作途上において、ロック時のクリック感（節度感）が確実に得られるものとなっている。
【００３１】
また、前記凹溝部１ｃの近傍に前記突出壁部１ｄを形成してあることから、ロック時に、前記ロックピン５が自身の弾性付勢力によりロック位置である前記凹溝部１ｃとの係合位置から外れることを防止することができるものとなっている。
【００３２】
また、前記ロックピン５を前記ハート形カム溝１ｂの内壁面に弾性付勢させるのに、前記ロックピン５自身の弾性力を利用していることから、部品点数を増やすことなく簡単な構成でクリック感を得ることができるものとなる。
【００３３】
図６は前記スライド部材４がオーバーストローク分移動された状態を示し、この状態では、前記ロックピン５と前記押圧突起部４ｃとの当接は解除されて前記ロックピン５への弾性付勢力も解除された状態となっている。
【００３４】
この状態から、ＩＣカード７への押圧力を解除すると、前記スライド部材４は、前記ガイドフレーム１ａとの間に介在されている復帰用の前記コイルばね３の復帰力によってＩＣカード７の排出方向へ若干移動され、この移動に伴い前記ロックピン５の作動突部５ｃが前記ハート形カム溝１ｂの凹溝部１ｃと係合されてＩＣカード７が挿着位置にロックされるものとなる。（図７）
【００３５】
次に、前記ＩＣカード７を挿着位置から排出させるには、前記ロックピン５と前記凹溝部１ｃとの係合を解除するために、ＩＣカード７を一旦挿入方向へ押圧（オーバーストローク）することとなる。この挿入方向へ押圧することにより、前記ＩＣカード７の移動に伴って前記スライド部材４もＩＣカード７の挿入方向へ移動されることとなり、この時、前記ロックピン５の作動突部５ｃが前記凹溝部１ｃから外れることとなる。（図８）
【００３６】
そして、前記作動突部５ｃが前記ハート形カム溝１ｂの後端側へ進むことで、前記スライド部材４は、復帰ばねである前記コイルばね３の付勢力によりＩＣカード７の排出方向へ移動され、この移動に伴い、ＩＣカード７は初期位置へ排出されるものとなる。（図９）
【００３７】
尚、上記参考例においては、前記ロックピン５が、前記ハート形カム溝部１ｂのロック位置である前記凹溝部１ｃに係合する直前において、押圧力が最大となるように前記ハート形カム溝１ｂの内壁面に弾性付勢されるようになっており、前記ロックピン５が前記凹溝部１ｃに係合した後、ロックを解除する時には、ロックピン５の弾性付勢力は発生しないように構成されていることから、ＩＣカード７の排出時にはクリック感を無くすことができ、ＩＣカード７の挿入時のみクリック感を得ることができるものとなっている。
【００３８】
図１０及び図１１は第２の参考例を示し、上記第１の参考例とは、前記ロックピン５の作動突部５ｃを前記ハートカム溝１ｂの内壁面に弾性付勢させる構成が一部相違している。すなわち、本参考例の構成においては、弾性を有する丸線材で棒軸状に形成されているロックピン８の軸部８ａに屈曲部を形成し、この屈曲部が押圧突起部８ｄとして形成されている。（図１０）
【００３９】
一方、スライド部材９には、押圧突起部は設けられておらず、スライド部材９がＩＣカード７の挿入方向へ移動されると、前記ロックピン８の軸部８ａに形成された前記押圧突起部８ｄが前記スライド部材９の内壁部に当接することとなるが、前記ロックピン８の作動突部８ｃは前記ハート形カム溝１ｂの内壁面の斜面に沿って進むことから、前記押圧突起部８ｄは前記スライド部材９の内壁部に押圧されることとなり、このため前記ロックピン８は、回動支持部８ｂと作動突部８ｃとの間で湾曲されて撓むこととなる。（図１１）
【００４０】
この時、前記ロックピン８は、自身の弾性力で前記作動突部８ｃが前記ハート形カム溝１ｂの内壁面に弾性付勢されることとなり、前記ロックピン８がロックされる前記凹溝部１ｃに係合する直前の前記ハート形カム溝１ｂとの摺接時に押圧力が最大となるようになっていることから、前記ロックピン８は前記ハート形カム溝１ｂとの摺接時の押圧力が最大となった後に前記凹溝部１ｃに係合するため、押圧操作途上において、ロック時のクリック感（節度感）が確実に得られるものとなっている。
【００４１】
また、前記ロックピン８の作動突部８ｃを前記ハートカム溝１ｂの内壁面に弾性付勢させる構成として、前記ロックピン８の軸部８ａに屈曲部を形成するだけでよいため、構造が簡単で、安価対応が可能となる。
【００４２】
図１２及び図１３は本発明の１実施例を示し、上記第１の参考例とは、前記ロックピン５の作動突部５ｃを前記ハートカム溝１ｂの内壁面に弾性付勢させる構成が一部相違している。すなわち、本実施例の構成においては、ロックピン１０は自身では弾性を有しておらず、反対に、ロックピン１０の軸部１０ａに当接するスライド部材１１の押圧突起部１１ｃを、弾性腕部１１ｄの先端に設けることにより撓み可能に形成されていることにより弾性付勢手段を構成している。（図１２）
【００４３】
前記スライド部材１１がＩＣカード７の挿入方向へ移動されると、前記ロックピン１０の軸部１０ａが前記スライド部材１１の前記押圧突起部１１ｃに当接することとなるが、前記ロックピン１０の作動突部１０ｃは前記ハート形カム溝１ｂの内壁面の斜面に沿って進むことから、前記押圧突起部１１ｃは前記ロックピン１０の軸部１０ａに押圧されることとなり、このため前記押圧突起部１１ｃは、前記弾性腕部１１ｄが湾曲されて撓むこととなる。（図１３）
【００４４】
この時、前記ロックピン１０は、前記弾性腕部１１ｄの弾性力で前記作動突部１０ｃが前記ハート形カム溝１ｂの内壁面に弾性付勢されることとなり、前記ロックピン１０がロックされる前記凹溝部１ｃに係合する直前の前記ハート形カム溝１ｂとの摺接時に押圧力が最大となるようになっていることから、前記ロックピン１０は前記ハート形カム溝１ｂとの摺接時の押圧力が最大となった後に前記凹溝部１ｃに係合するため、押圧操作途上において、ロック時のクリック感（節度感）が確実に得られるものとなっている。
【００４５】
また、前記ロックピン１０の作動突部１０ｃを前記ハートカム溝１ｂの内壁面に弾性付勢させる弾性付勢手段として、前記スライド部材１１の押圧突起部１１ｃを撓み可能に形成するだけでよいため、構造が簡易となり、ロックピン１０を強固な材料で形成できるため、確実なロック動作が得られるものとなる。
【００４６】
尚、上記実施例及び前述した参考例の構成においては、前記スライド部材４、９、１１をＩＣカード７の挿着位置に保持するためのハート形カム溝１ｂを、前記ハウジング１の一方のガイドフレーム１ａに形成し、このハート形カム溝１ｂに一端部が摺接する前記ロックピン５、８、１０の他端部を、前記スライド部材４、９、１１に回動可能に支持する構成としたが、これとは反対に、前記ハート形カム溝１ｂを前記スライド部材４、９、１１に形成し、前記ロックピン５、８、１０を前記ガイドフレーム１ａに回動可能に支持するようにしてもよく、この場合にも同様の効果が得られるのはもちろんである。
【００４７】
【発明の効果】
以上説明したように、本発明のカード用コネクタ装置は、カードの挿入及び排出に伴ってカードの挿入及び排出方向へ移動可能に配設されたスライド部材をカードの挿着位置にロックするロックピンが摺接するハート形カム溝に、ロックピンをロック位置に保持する凹溝部を形成し、ロックピンが凹溝部に係合する直前のハート形カム溝との摺接時に、ロックピンの他端部をハートカム溝の内壁面に弾性付勢させる弾性付勢手段を設け、この弾性付勢手段の付勢力によりロックピンを凹溝部方向へ移動させるようにしたことから、ロックピンはハート形カム溝との摺接時の押圧力が最大となった後に凹溝部に係合することとなり、押圧操作途上における、ロック時のクリック感（節度感）を確実に得ることができる。
【００４８】
また、ハート形カム溝の凹溝部の近傍には、ロックピンと係合し、ロックピンの他端部が弾性付勢手段の付勢力により凹溝部との係合位置から外れるのを規制する規制部を形成したことから、ロック時に、ロックピンが自身の弾性付勢力によりロック位置である凹溝部との係合位置から外れることを防止することができる。
【００４９】
また、規制部は、ハート形カム溝の外壁面に突出して形成された突出壁部からなることから、簡単な構成で、確実にロックピンのロック位置からの外れを防止できる。
【００５２】
また、弾性付勢手段は、スライド部材に、ロックピンがハート形カム溝の凹溝部に係合する直前のハート形カム溝との摺接時に、ロックピンの軸部に当接する押圧突起部を形成すると共に、この押圧突起部を撓み可能に形成し、押圧突起部がロックピンに押圧されることにより押圧突起部が撓んで、その弾性力によりロックピンの他端部をハートカム溝の内壁面に弾性付勢させるように構成したことから、ロックピンの作動突部をハートカム溝の内壁面に弾性付勢させる弾性付勢手段として、スライド部材の押圧突起部を撓み可能に形成するだけでよいため、構造が簡易となり、ロックピンを強固な材料で形成できるため、確実なロック動作が得られる。
【図面の簡単な説明】
【図１】  本発明の１実施例であるカード用コネクタ装置を示す平面図である。
【図２】  本発明の同じく１実施例であるハウジングとスライド部材の一部を破断した状態を示す部分側面図である。
【図３】  本発明のハート形カム溝とロックピンとの初期の係合状態の１参考例を示す説明図である。
【図４】  本発明の同じくロックピンが押圧突起部によりカム溝の内壁面に付勢された状態の１参考例を示す説明図である。
【図５】  本発明の同じくロックピンが規制部である突出壁部に当接された状態の１参考例を示す説明図である。
【図６】  本発明の同じくロックピンがオーバーストロークされた状態の１参考例を示す説明図である。
【図７】  本発明の同じくロックピンが凹溝部にロックされた状態の１参考例を示す説明図である。
【図８】  本発明の同じくロックピンが凹溝部より解除された状態の１参考例を示す説明図である。
【図９】  本発明の同じくロックピンが初期位置に戻る途中の状態の１参考例を示す説明図である。
【図１０】  本発明の第２参考例であるハート形カム溝とロックピンとの係合状態を示す説明図である。
【図１１】  本発明の同じくロックピンが押圧突起部によりカム溝の内壁面に付勢された状態の第２参考例を示す説明図である。
【図１２】  本発明の１実施例であるハート形カム溝とロックピンとの係合状態を示す説明図である。
【図１３】  本発明の同じく１実施例であるロックピンが押圧突起部によりカム溝の内壁面に付勢された状態を示す説明図である。
【符号の説明】
１  ハウジング
１ａ  ガイドフレーム
１ｂ  ハート形カム溝
１ｃ  凹溝部
１ｄ  突出壁部
１ｅ  ばね収納部
２  コネクタ端子
２ａ  接続片
２ｂ  接触片
２ｃ  接点部
３  コイルばね
４，９，１１  スライド部材
４ａ  ばね係止部
４ｂ  ピン支持部
４ｃ，８ｄ  押圧突起部
１１ｃ  押圧突起部（弾性付勢手段）
５，８，１０  ロックピン
５ａ，８ａ，１０ａ  軸部
５ｂ，８ｂ，  回動支持部
５ｃ，８ｃ，１０ｃ  作動突部
６  カバー部材
６ａ  上板部
９ｂ  側板部
６ｃ  窓孔部
６ｄ  開口部
６ｅ  アース端子
７  ＩＣカード
１１ｄ  弾性腕部
【図１】
0003887164.tif 000002
【図２】
0003887164.tif 000003
【図３】
0003887164.tif 000004
【図４】
0003887164.tif 000005
【図５】
0003887164.tif 000006
【図６】
0003887164.tif 000007
【図７】
0003887164.tif 000008
【図８】
0003887164.tif 000009
【図９】
0003887164.tif 000010
【図１０】
0003887164.tif 000011
【図１１】
0003887164.tif 000012
【図１２】
0003887164.tif 000013
【図１３】
0003887164.tif 000014